(57)【要約】      （修正有）【課題】缶に入ったビールやジュース等の飲み物をタブを開けて飲む時に、口の両脇からこぼれないようにする飲み物を収容した缶を提供する。【解決手段】円形状の缶１において、その上端部外周の一部をくぼませて、飲む時に唇が当たる当たり面７とし、唇の両脇と外周面との間に隙間を発生しないようにしてこぼれるのを防止する。【選択図】図２
2014031216.tif 000002
【特許請求の範囲】
【請求項１】
ビール（アルコール）やジュース、お茶、コーヒー等の飲み物を入れた円筒形の缶において、上端部外周の一部を窪ませて飲料水を飲む時に唇が当たる当たり面を形成し、この当たり面は缶上面に設けたタブを引き上げて作られる飲み口側に形成したことを特徴とする。飲み物を収容した缶。
【請求項２】
上記当たり面をほぼ平坦な面として形成した請求項１記載の飲み物を収容した缶。
【請求項３】
上記当たり面を上端から下端までとした請求項１又は請求項２記載の飲み物を収容した缶。
【請求項４】
ビールやジュース、コーヒー等の飲み物を入れた缶において、外周を複数の平坦な外側面を有す多角形断面の筒形とし、この外側面の１つは飲み物を飲む時に唇が当たる当たり面とし、この当たり面は缶上面に設けたタブを引き上げて作られる飲み口側に形成したことを特徴とする飲み物を収容した缶。
【発明の詳細な説明】
【技術分野】
【０００１】この発明は、ビール（アルコール）やジュース、お茶やコーヒー等の飲み物を入れ飲む時にタブを開けることの出来るアルミ等の缶に関する。
【背景技術】
【０００２】図１は従来から使用されているアルミ缶である。このアルミ缶にはビールやコーヒー、お茶やジュース等の飲み物が収容されていて、飲む時には上端面に設ているタブ（イ）を開口することができるように成っている。【０００３】すなわち、タブ（イ）には指が入るつまみが付けられており、このつまみをつまんで引くならばタブ（イ）が倒れて開口する。
すなわちタブ（イ）は缶内に倒れ込むことができる。【０００４】ところで、上記アルミ等の缶は底を有す円筒形を成し、その外径の大きさは色々あるが、飲む時には開口を口にして缶を傾ける。
この場合、缶の上端部外周面が人の唇にあたり、タブ（イ）を倒して形成された開口から内部に収容されているビール又はコーヒー等の飲み物が流れ出て口に入る。【０００５】人の唇は柔らかくて表面は滑らかな凸状曲面を成している為に、一定曲率で凸状曲面としている外周面（ロ）に唇が接するとき、開口から流れ出でるビールやコーヒー等の飲み物の一部は口に入らず、唇の両脇から溢れ出すことが多い。【０００６】特に、子供は口が小さくて、缶の外周面（ロ）に接する領域が限られることから、こぼれ易い。もちろん体の不自由な人の場合も同じである。
【発明の開示】
【発明が解決しようとする課題】
【０００７】このように、従来のアルミ缶には上記のごとき問題がある。本発明が解決しようとする課題はこの問題点であって、小さい子供や老人であっても、口の両脇からこぼれることはなく、飲むことの出来る缶を提供する。
【課題を解決するための手段】
【０００８】本発明に係る缶は飲む時に口の両脇からこぼれることがないような形状としたものであり、缶上端面に設けて開口を作るための唇の位置に相当する外周面をくぼませて当たり面を形成している。【０００９】くぼませる外周面の領域は飲む時に唇が当たる部分であり、少なくとも缶の上端部となる。【００１０】ここで、くぼんだ外周面とは、一定曲率半径で湾曲している缶の外周面形状と対比したものであって例えば平坦面としてもよく、缶外周面より曲率を小さくした凸状曲面としてもよい。【００１１】ただし、本発明では缶の製造工程において、このくぼみを作る具体的な手法は問わないことにする。
【発明の効果】
【００１２】本発明に係る缶は上端部外周がくぼんだ形状と成っている。
したがって、缶に収容されているビール等の飲み物を飲む場合、口の両脇からこぼれにくくなる。【０００１３】すなわち、外周面をくぼませることで、唇が当たる領域が拡大し、少なくともタブを倒して形成される開口の幅より広い領域で唇があたり、唇両脇と缶外周面との間に隙間が発生しにくい。【００１４】そこで、本発明の缶を用いてビールやジュース等の飲み物を飲む場合、子供や体の不自由な人であっても、口からこぼすことなく飲むことが出来る。
【図面の簡単な説明】
【００１５】
【図１】従来の缶。
【図２】本発明に係る缶を示す実施例。
【図３】本発明に係る缶を示す実施例。
【発明を実施するための形態】
【００１６】図２は本発明に係る缶（１）を示す実施例であり、その形状は筒形を成し、底面（２）と上面（３）を有している。そして、缶（１）の材質はアルミ製またはスチール缶とし、内部に収容される飲み物はジュース、コーヒー、お茶又はビール（アルコール）等があり、その種類は限定しない。
【００１７】基本的な形態は従来の缶と同じであって、上面（３）にはタブ（４）を設け、このタブ（４）の穴（５）に指を入れて引き上げるならば、上面（３）の一部が開講して飲み口となる。
【００１８】ところで、同図に示す缶（１）は一定大きさの外形を有す筒形であるが、上端部の外周面（６）には当たり面（７）を形成している。この当たり面（７）は滑らかに湾曲している外周面（６）に対してくぼんでおり、ほぼ平坦な面と成っている。
【００１９】勿論、平坦面でなく外周面（６）より曲率の小さい凸状曲面とする場合もあり、さらには凹状曲面とすることも出来る。
ここで、外周面（６）をくぼませて形成する当たり面（７）の大きさ（領域）は缶（１）を傾けて飲む時に唇が接して、こぼれない程度とする。
【００２０】そこで、当たり面（７）の箇所は、上記タブ（４）を引き上げて形成される開口（飲み口）側としている。
ところで、上記当たり面（７）を形成する方法は特に限定せず、一般には缶の製造工程の中で成形することが出来る。
【００２１】すなわち、缶は一般にブロー成形されるが、上端部の飲み口側に当たり面が作られるようにすればよく、従来の缶製造とほぼ同じ工程で作ることが出来る。
本発明に係る缶（１）はこのように上端部外周面（６）の飲み口側にほぼ平坦な当たり面（７）を形成したことで、飲み口からジュースやビール等の飲み物を飲む場合、唇は当たり面（７）に接し、唇の両脇は外周面（６）との間に隙間（空間）が発生しない。
【００２２】仮に隙間が発生したとしても僅かであって、唇の両脇からジュースやビール等の飲み物が溢れることがないように飲むことが出来る。
当たり面（７）の大きさ（領域）が同じであれば、該当たり面（７）は凸状曲面より平坦面がよく、さらには凹状曲面として形成するほうが、唇の両脇に発生する隙間はより小さくなる。
【００２３】図３は本発明に係る缶（８）を示す他の実施例である。
この缶（８）は同図に示しているように、円筒形でなく六角断面の筒形をしている。
従って外周は６つの平坦な外側面（９）を有し各外側面（９）（９）・・・は繋がっている。
【００２４】このように、円筒形でなく六角断面の筒状の缶（８）であっても、その成形は使用する金型を違わせて従来と同じように、ブロー成形することで容易に製造される。
このように、平坦な外側面（９）（９）・・・の１つが飲む時に唇が当たる当たり面（１０）と成る。
【００２５】したがって、タブ（４）を引き上げて作られる飲み口側が当たり面（１０）と成るように外側面（９）（９）・・・が成形されている。
【００２６】ところで、六角断面の筒状をした缶（８）は外側面（９）（９）・・・の接続箇所が角ばった稜線（１１）（１１）・・・と成り、他の缶（８）又は他の物体と当たった時に変形し易くなる。
【００２７】そこで、稜線（１１）（１１）・・・には小さな丸みを形成した曲面をすることもある。また、図３に示す六角断面の缶（８）でなく、五角形断面としてもよく、八角形断面とすることも可能である。ただし、角数を大きくするならば、外側面（９）の幅寸法が小さくなり、ひいては当たり面（１０）の大きさが小さくなる為に、飲む時の唇と外側面（９）との間に隙間が発生しやすくなる。
【００２８】また、図３に示す六角断面の缶（８）の形状にすることによって、飲み物を飲む時に持ちやすく、滑りにくい。また冷蔵庫などの収納場所に収納する時も積みやすく転がらない。落下しても変形しにくい特徴を持つ。
【符号の説明】
【００２９】１  缶
２  底面
３  上面
４  タブ
５  穴
６  外周面
７  当たり面
８  缶
９  外側面
１０  当たり面
１１  稜線
【図１】
2014031216.tif 000003
【図２】
2014031216.tif 000004
【図３】
2014031216.tif 000005